(57)【要約】【課題】被検試料中のリポ蛋白コレステロールを定量する方法において、被検試料を希釈した場合でも、リポ蛋白コレステロールの測定値の低下を抑制し、コレステロールの低測定値における検量線の直線性を改善する方法、及びこの方法に用いられる定量キットを提供する。【解決手段】本発明は、希釈した被検試料中のリポ蛋白コレステロールの定量において、前記希釈した被検試料中に含まれる測定対象外のリポ蛋白コレステロールを反応系外に移行させる工程をペルオキシダーゼの存在下で行うことにより測定対象のリポ蛋白コレステロールの測定値の低下を抑制する方法を提供する。また、本発明は、前記本発明の方法に用いられるリポ蛋白コレステロールの定量キットを提供する。【選択図】図２
2020024175.tif 000002
【特許請求の範囲】
【請求項１】
希釈した被検試料中のリポ蛋白コレステロールの定量において、前記希釈した被検試料中に含まれる測定対象外のリポ蛋白コレステロールを反応系外に移行させる工程をペルオキシダーゼの存在下で行うことにより測定対象のリポ蛋白コレステロールの測定値の低下を抑制する方法。
【請求項２】
前記希釈の倍率が２〜４０倍である、請求項１記載の方法。
【請求項３】
希釈した被検試料中の測定対象外のリポ蛋白コレステロールを反応系外に移行させる第一工程と、反応系内に残存する測定対象のリポ蛋白コレステロールを定量する第二工程とを含むリポ蛋白コレステロールの定量において、前記第一工程をペルオキシダーゼの存在下で行う請求項１または２に記載の方法。
【請求項４】
請求項１〜３のいずれかの方法に用いられるリポ蛋白コレステロールの定量キット。
【発明の詳細な説明】
【技術分野】
【０００１】
本発明は、被検試料中のリポ蛋白コレステロールを定量する方法において、リポ蛋白コレステロールの測定値の低下を改善する方法、及びこの方法に用いられる定量キットに関する。
【背景技術】
【０００２】
臨床検査の分野において、測定対象成分から過酸化水素を生成させ、この過酸化水素を定量することにより測定対象成分の試料中濃度を測定する方法が広く利用されている。このような方法においては、測定対象成分以外の物質から生成される過酸化水素が測定値の誤差要因となるため、測定対象成分以外の物質から生成された過酸化水素を、カタラーゼを作用させて水と酸素に分解する方法や、ペルオキシダーゼを用いてフェノール系又はアニリン系水素供与体化合物と反応させて無色キノンに転化する方法によって、消去する方法が一般的には用いられている。例えば、中性脂肪測定用試薬では内因性遊離グリセロールの消去系が使用され、クレアチニン測定試薬ではクレアチンとザルコシンの消去系が使用され、ＨＤＬ−コレステロールまたはＬＤＬ−コレステロール測定用試薬では目的成分以外のリポ蛋白中コレステロールの消去系が使用されている。
このうち、カタラーゼを用いた消去系がよく使用されているが、試料中にカタラーゼを阻害する成分が混入することによって妨害を受ける場合がある。
【０００３】
リポ蛋白質中のコレステロールを定量する方法においてカタラーゼを用いる場合には、一般的には、被検試料中の測定対象外のリポ蛋白質のコレステロールを反応系外に移行させる第一工程（工程(1)）においてカタラーゼが使用される。すなわち、工程(1)において、測定対象となるリポ蛋白以外のリポ蛋白に含まれるコレステロールにコレステロールオキシダーゼ、コレステロールエステラーゼを作用させ、生成した過酸化水素がカタラーゼにより除去される。
【０００４】
続く第二工程（工程(2)）では、前記工程(1)で消去されずに残存する測定対象となるリポ蛋白中のコレステロールにコレステロールオキシダーゼ、コレステロールエステラーゼを作用させ、生成した過酸化水素をペルオキシダーゼと水素供与体および水素受容体によりキノン色素に変換する。該キノン色素の吸光度を測定することにより、測定対象のリポ蛋白質中のコレステロールが定量される。
その際、工程(1)から存在するカタラーゼの作用を阻害するために、例えばアジ化ナトリウムのようなカタラーゼ阻害剤を工程(2)に加えてカタラーゼを阻害する。しかし、カタラーゼが完全に阻害される前に、工程(2)で生成された測定対象となるリポ蛋白中のコレステロールに由来する過酸化水素が一部除去される場合がある。
【０００５】
このようなカタラーゼによる過酸化水素の一部の除去は、通常の測定であればコレステロールの測定値に大きな影響を与えるものではない。しかし、従来、測定値が測定可能な適正範囲を大幅に超えた場合や、被検試料中の物質によって測定値が悪影響を受ける場合には、被検試料を希釈してコレステロールの測定値が低い領域で測定するケースがあった。このようなケースでは、カタラーゼによる過酸化水素の一部の除去による影響が大きくなり、コレステロールの測定値自体が低下する現象が起こり、正確な測定ができない原因となっていた。
【０００６】
一方、第一工程と第二工程を用いてリポ蛋白中のコレステロールを定量する方法として、特許文献１には、第一工程でＨＤＬ以外のリポ蛋白をカタラーゼで消去し、第二工程でＨＤＬに特異的に作用する界面活性剤を用いてＨＤＬを測定する方法が開示されている。また、特許文献２には、第一工程でsmall, dense LDL以外のリポ蛋白のコレステロールをsmall, dense LDL以外に作用する界面活性剤を用いて消去し、次いで残存したsmall, dense LDL中のコレステロールを定量する方法が開示されている。更に、特許文献３には、トリグリセリドリッチリポ蛋白（TRL）の測定方法として、TRL以外のリポ蛋白のコレステロールをTRL以外に作用する界面活性剤を用いて消去し、次いで残存したTRL中のコレステロールを定量する方法が開示されている。しかしながら、いずれの特許文献にも、希釈検体中のリポ蛋白コレステロール測定値の低下を抑制する方法は開示されていない。
【先行技術文献】
【特許文献】
【０００７】
【特許文献１】ＷＯ９８／２６０９０号公報
【特許文献２】特開２０１３−１４８５８９号公報
【特許文献３】特開２０１７−２０９０３５号公報
【発明の概要】
【発明が解決しようとする課題】
【０００８】
本発明の目的は、被検試料中のリポ蛋白コレステロールを定量する方法において、被検試料を希釈した場合でも、リポ蛋白コレステロールの測定値の低下を抑制し、コレステロールの低測定値における検量線の直線性を改善する方法、及びこの方法に用いられる定量キットを提供することである。
【課題を解決するための手段】
【０００９】
本願発明者らは、鋭意研究の結果、ペルオキシダーゼを用いることにより、カタラーゼを用いる方法と比較して、被検試料を希釈した場合でも、リポ蛋白コレステロールの測定値の低下が改善され、コレステロールの低測定値における検量線の直線性が改善されることを見出し、本発明を完成した。
【００１０】
すなわち、本発明は以下のとおりである。
[１］希釈した被検試料中のリポ蛋白コレステロールの定量において、前記希釈した被検試料中に含まれる測定対象外のリポ蛋白コレステロールを反応系外に移行させる工程をペルオキシダーゼの存在下で行うことにより測定対象のリポ蛋白コレステロールの測定値の低下を抑制する方法。
[２］前記希釈の倍率が２〜４０倍である、[１］に記載の定量方法。
[３］希釈した被検試料中の測定対象外のリポ蛋白コレステロールを反応系外に移行させる第一工程と、反応系内に残存する測定対象のリポ蛋白コレステロールを定量する第二工程とを含むリポ蛋白コレステロールの定量において、前記第一工程をペルオキシダーゼの存在下で行う[１］または[２］に記載の方法。
[４］[１］〜[３］のいずれかの方法に用いられるリポ蛋白コレステロールの定量キット。
【発明の効果】
【００１１】
本発明により、被検試料を希釈した場合でも、リポ蛋白コレステロールの測定値の低下が抑制され、コレステロールの低測定値における検量線の直線性が改善され、安定してリポ蛋白コレステロールを定量する方法、及びこの方法に用いられる定量キットが提供された。
【図面の簡単な説明】
【００１２】
【図１】試薬Ａと試薬Ｅの組合せ（比較例４）を用いて試料中のＨＤＬコレステロール濃度を測定した場合の直線性の評価を行った結果を示す図である。
【図２】試薬Ｂと試薬Ｆの組合せ（実施例１０）を用いて試料中のＨＤＬコレステロール濃度を測定した場合の直線性の評価を行った結果を示す図である。
【図３】試薬Ｃと試薬Ｆ（実施例１１）の組合せを用いて試料中のＨＤＬコレステロール濃度を測定した場合の直線性の評価を行った結果を示す図である。
【図４】試薬Ｄと試薬Ｆ（実施例１２）の組合せを用いて試料中のＨＤＬコレステロール濃度を測定した場合の直線性の評価を行った結果を示す図である。
【図５】試薬Ｇと試薬Ｋの組合せ（比較例５）を用いて試料中のＬＤＬコレステロール濃度を測定した場合の直線性の評価を行った結果を示す図である。
【図６】試薬Ｈと試薬Ｌの組合せ（実施例１３）を用いて試料中のＬＤＬコレステロール濃度を測定した場合の直線性の評価を行った結果を示す図である。
【図７】試薬Ｉと試薬Ｌの組合せ（実施例１４）を用いて試料中のＬＤＬコレステロール濃度を測定した場合の直線性の評価を行った結果を示す図である。
【図８】試薬Ｊと試薬Ｌの組合せ（実施例１５）を用いて試料中のＬＤＬコレステロール濃度を測定した場合の直線性の評価を行った結果を示す図である。
【図９】試薬Ｍと試薬Ｑの組合せ（比較例６）を用いて試料中のｓｄＬＤＬコレステロール濃度を測定した場合の直線性の評価を行った結果を示す図である。
【図１０】試薬Ｎと試薬Ｒの組合せ（実施例１６）を用いて試料中のｓｄＬＤＬコレステロール濃度を測定した場合の直線性の評価を行った結果を示す図である。
【図１１】試薬Ｏと試薬Ｒの組合せ（実施例１７）を用いて試料中のｓｄＬＤＬコレステロール濃度を測定した場合の直線性の評価を行った結果を示す図である。
【図１２】試薬Ｐと試薬Ｒの組合せ（実施例１８）を用いて試料中のｓｄＬＤＬコレステロール濃度を測定した場合の直線性の評価を行った結果を示す図である。
【発明を実施するための形態】
【００１３】
本発明は、被検試料中のリポ蛋白コレステロールを定量する方法において、被検試料を希釈して得た希釈検体にペルオキシダーゼを添加することによりリポ蛋白コレステロールの測定値の低下を改善することを特徴とする。
【００１４】
リポ蛋白中に含まれるコレステロールとしては、エステル型コレステロール（コレステ
ロールエステル）及び遊離型コレステロールがある。本発明において単に「コレステロー
ル」という場合にはこれらの両者を包含する。本発明において、被検試料を希釈して得た希釈検体中のコレステロールの低測定値とは、通常70.0mg/dL以下であり、更には0.1〜50mg/dL、特には0.5〜40mg/dLの範囲である。
【００１５】
本発明の方法で定量しようとするコレステロールを含むリポ蛋白は、電気泳動法又は超遠心にて分類され、カイロミクロン、超低密度リポタンパク質（VLDL）、中間密度リポタンパク質（IDL）、低密度リポタンパク質（LDL）、small, dense LDL、高密度リポタンパク質（HDL）等が挙げられる。また、リポ蛋白としては、カイロミクロン（カイロミクロンレムナントを含む）、VLDL（VLDLレムナントを含む）及びIDLを合わせた密度1.019g/cm3未満のトリグリセリドリッチリポ蛋白（TRL）を挙げることもできる。
【００１６】
本発明における被検試料としては、リポ蛋白を含み、リポ蛋白中のコレステロールを定量しようとするものであれば特に限定されないが、通常、血液（全血、血清及び血漿を包含する）等の体液である。本発明においては、被検試料を生理食塩水等の希釈液で希釈して得た希釈検体を用いてリポ蛋白コレステロールの測定を行う。
【００１７】
本発明のリポ蛋白コレステロールの定量方法は、希釈検体にペルオキシダーゼを添加すること以外は、この分野において周知のいずれの方法をも採用することができる。例えば、定量試薬を用い、コレステロールにコレステロールオキシダーゼおよびコレステロールエステラーゼを作用させ、生成した過酸化水素をペルオキシダーゼと水素供与体および水素受容体によりキノン色素に変え、該色素を吸光度測定して定量する方法が挙げられる。
本発明におけるペルオキシダーゼの添加量は、通常0.1〜100.0U/mLであり、好ましくは0.5〜50.0U/mLであり、更に好ましくは1.0〜30.0U/mLである。
【００１８】
本発明においては、被検試料中の測定対象外のリポ蛋白質のコレステロールを反応系外に移行させ選択的に消去する第一工程（工程(1)）と、反応系内に残存する測定対象のリポ蛋白質中のコレステロールを定量する第二工程（工程(2)）により本発明の方法を行うと、定量対象となるリポ蛋白中のコレステロールをより正確に定量することができる。
【００１９】
本発明において、リポ蛋白に対して「反応する」という言葉を用いる場合は、界面活性剤や酵素によってリポ蛋白の構造が変化し、内部のコレステロールに対して酵素が作用しやすくなることを意味する。
【００２０】
本発明における工程(1)では、測定対象外のリポ蛋白質中のコレステロールを選択的に消去する。ここで「消去」とはコレステロールを分解し、かつ、その分解物が次の工程(2)で検出されないようにすることを意味する。測定対象外のリポ蛋白に含まれるコレステロールを選択的に消去する方法としては、被検試料に、コレステロールオキシダーゼ、特定のコレステロールエステラーゼを作用させ、生じた過酸化水素を除去する方法が挙げられる。本発明における工程(1)では、被検試料を希釈して得た希釈検体にペルオキシダーゼを添加する。ペルオキシダーゼの作用により過酸化水素と反応して無色キノンを生じる水素供与体化合物を用いることにより、過酸化水素を無色キノンに転化することができる。工程(1)におけるペルオキシダーゼの添加量は、通常0.1〜100.0U/mLであり、好ましくは0.5〜50.0U/mLであり、更に好ましくは1.0〜30.0U/mLである。
【００２１】
なお、第１工程において特定のリポ蛋白中のコレステロールを選択的に消去する方法は、LDLコレステロールの定量方法（例えばWO98/47005等）やHDLコレステロールの定量方法（例えばWO98/26090等）等に広く採用され、周知となっているものである。本発明の工程(1)も、これらの周知の方法により実施することが可能である。
【００２２】
続く工程(2)では、前記工程(1)で消去されずに残存する測定対象となるリポ蛋白中のコレステロールを酵素的に定量する。コレステロールの酵素的な定量方法自体はこの分野において周知であり、例えばコレステロールにコレステロールオキシダーゼおよびコレステロールエステラーゼを作用させ、生成した過酸化水素をペルオキシダーゼと水素供与体および水素受容体によりキノン色素に変え、該色素を吸光度測定して定量する方法があげられる。前記工程(1)でコレステロールオキシダーゼおよびコレステロールエステラーゼを用いる場合には、工程(2)では、工程(1)で用いたコレステロールオキシダーゼおよびコレステロールエステラーゼをそのまま用いることができ、新たに添加する必要はない。
【００２３】
本発明の工程(1)および工程(2)においては、少なくとも１種の界面活性剤を用いることができる。好適な界面活性剤を用いれば、それぞれの工程における酵素反応を促進することができる。
【００２４】
本発明で使用することができるコレステロールオキシダーゼとしては、コレステロールを酸化して過酸化水素を生成する能力を有する酵素であれば特に限定されず、例えば動物又は微生物由来のコレステロールオキシダーゼがあげられる。これらは、遺伝子操作により作られたものでもよく、化学修飾の有無も問わない。また、本発明で使用することができるコレステロールエステラーゼとしては、エステル型コレステロールに作用するものであれば、特に制限されるものではない。
【００２５】
本発明で使用する、コレステロールエステラーゼ及びコレステロールオキシダーゼの各酵素の使用量は、特に制限されるものではなく、適宜設定できるが、通常、0.001U〜2000U/mLで、好ましくは0.1〜1000U/mLで使用される。
【００２６】
本発明で使用する水素供与体としてはアニリン誘導体が好ましく、アニリン誘導体としてはN−エチル−N−（2−ヒドロキシ−3−スルホプロピル）−3−メチルアニリン（TOOS）、N−エチル−N−（2−ヒドロキシ−3−スルホプロピル）−3，5−ジメチルアニリン（MAOS）、N−エチル−N−（3−スルホプロピル）−3−メチルアニリン（TOPS）、N−（2−ヒドロキシ−3−スルホプロピル）−3，5−ジメトキシアニリン（HDAOS）、N−（3−スルホプロピル）アニリン（HALPS）、N−（3−スルホプロピル）−3−メトキシ−5−アニリン（HMMPS）等があげられる。
【００２７】
水素受容体としては4−アミノアンチピリンやメチルベンゾチアゾロンヒドラゾン等を用いることができる。
【００２８】
反応液には通常の生化学反応に用いられる各種の緩衝液を使用することができ、緩衝液のｐＨは５〜８の間であるのが好ましい。溶液としては、グッド、トリス、リン酸、グリシンの緩衝溶液が好ましく、グッド緩衝液であるビス（２−ヒドロキシエチル）イミノトリス（ヒドロキシエチル）メタン（Ｂｉｓ−Ｔｒｉｓ）、ピペラジン−１、４−ビス（２−エタンスルフォン酸）（ＰＩＰＥＳ）、ピペラジン−１、４−ビス（２−エタンスルフォン酸）、１．５ナトリウム塩、一水和物（ＰＩＰＥＳ１．５Ｎａ）、２−ヒドロキシ−３−モルホリノプロパンスルホン酸（ＭＯＰＳＯ）、Ｎ、Ｎ−ビス（２−ヒドロキシエチル）−２−アミノエタンスルフォン酸（ＢＥＳ）、２−［４−（２−ヒドロキシエチル）−１−ピペラジニル］エタンスルフォン酸（ＨＥＰＥＳ）およびピペラジン−１、４−ビス（２−ヒドロキシ−３−プロパンスルフォン酸）（ＰＯＰＳＯ）が好ましい。
【００２９】
本発明における各工程は、pH5〜pH10で行うことが好ましく、pH6〜pH8で行うことがさらに好ましい。
【００３０】
反応温度は各工程とも20℃〜45℃で行うことが好ましく、25℃〜40℃で行うことがさらに好ましい。反応時間は各工程とも1〜10分間で行うことが好ましく、3〜7分で行うことがさらに好ましい。
【００３１】
本発明の定量方法を実施するに当たり、用いる試薬を複数の試薬組成物に分けてもよい。本発明においては、試薬としては、少なくとも、測定対象となるリポ蛋白以外のリポ蛋白中のコレステロールを消去する第一工程（すなわち工程(1))を行うための試薬組成物（第一試薬）と、測定対象となるリポ蛋白中のコレステロールを測定する工程（すなわち工程(2)）を行うための試薬組成物（第二試薬）の２種類の試薬組成物を調製し、これら２種類の試薬組成物を組み合わせたものをリポ蛋白コレステロールの定量キットとすることができる。
【００３２】
工程(1)を行うための試薬組成物（第一試薬）には、過酸化水素を消去するペルオキシダーゼが含まれる。第一試薬中のペルオキシダーゼの含有量は、通常0.1〜100.0U/mLであり、好ましくは0.5〜50.0U/mLであり、更に好ましくは1.0〜30.0U/mLである。該試薬組成物（第一試薬）にはさらに、コレステロールオキシダーゼ、コレステロールエステラーゼ、アニリン誘導体等の水素供与体、定量対象となるリポ蛋白以外のリポ蛋白中のコレステロールを消去するのに適した界面活性剤などを含んでいてもよい。
【００３３】
工程(2)を行うための試薬組成物（第二試薬）には、すべてのリポ蛋白に対して反応する界面活性剤が含まれていてもよい。該試薬組成物（第二試薬）にはさらに、4-アミノアンチピリン等の水素受容体、ペルオキシダーゼ等を含ませることができる。
【００３４】
工程(1)を行うための試薬組成物（第一試薬）及び工程(2)を行うための試薬組成物（第二試薬）には、必要に応じて、１価の陽イオン（例えば一価の金属イオン）、２価の陽イオン（例えば二価の金属イオン）もしくはそれらの塩、ポリアニオン（例えばヘパリン、デキストラン硫酸塩、リンタングステン酸塩）、血清アルブミンを添加してもよい。また、各試薬組成物のpHは、中性付近、例えばpH5〜pH9、好ましくはpH6〜8であり、緩衝液を添加してpHを調整すればよい。
【００３５】
本発明の方法により測定対象となるリポ蛋白中のコレステロールを定量するには、被検試料を希釈して得た希釈検体に工程(1)を行うための試薬組成物（第一試薬）を添加して反応させ、次いで工程(2)を行うための試薬組成物（第二試薬）を添加して反応させ、吸光度を測定することにより行えばよい。
【実施例】
【００３６】
以下、本発明を実施例に基づき具体的に説明するが、本発明は下記実施例に限定されるものではない。
【００３７】
実施例１〜３、比較例１
第一工程に用いる試薬組成物を第一試薬、第二工程に用いる試薬組成物を第二試薬とし、第一試薬として試薬Ａ〜Ｄを、第二試薬をＥ〜Ｆを以下の組成になるように調製した。
【００３８】
試薬Ａ
グッド緩衝液（ｐＨ６．６）                        １００ｍｍｏｌ／Ｌ
ＴＯＯＳ                                          １．５ｍｍｏｌ／Ｌ
カタラーゼ                                        ６００Ｕ／ｍＬ
コレステロールエステラーゼ                        １．４Ｕ／ｍＬ
コレステロールオキシダーゼ                        ０．８Ｕ／ｍＬ
ポリオキシエチレン・ポリオキシプロピレン縮合物    ０．２５ｇ／Ｌ
【００３９】
試薬Ｂ
グッド緩衝液（ｐＨ６．６）                        １００ｍｍｏｌ／Ｌ
ＴＯＯＳ                                          １．５ｍｍｏｌ／Ｌ
ペルオキシダーゼ                                  １．２Ｕ／ｍＬ
コレステロールエステラーゼ                        １．４Ｕ／ｍＬ
コレステロールオキシダーゼ                        ０．８Ｕ／ｍＬ
ポリオキシエチレン・ポリオキシプロピレン縮合物    ０．２５ｇ／Ｌ
【００４０】
試薬Ｃ
グッド緩衝液（ｐＨ６．６）                        １００ｍｍｏｌ／Ｌ
ＴＯＯＳ                                          １．５ｍｍｏｌ／Ｌ
ペルオキシダーゼ                                  ６．５Ｕ／ｍＬ
コレステロールエステラーゼ                        １．４Ｕ／ｍＬ
コレステロールオキシダーゼ                        ０．８Ｕ／ｍＬ
ポリオキシエチレン・ポリオキシプロピレン縮合物    ０．２５ｇ／Ｌ
【００４１】
試薬Ｄ
グッド緩衝液（ｐＨ６．６）                        １００ｍｍｏｌ／Ｌ
ＴＯＯＳ                                          １．５ｍｍｏｌ／Ｌ
ペルオキシダーゼ                                  ２０．０Ｕ／ｍＬ
コレステロールエステラーゼ                        １．４Ｕ／ｍＬ
コレステロールオキシダーゼ                        ０．８Ｕ／ｍＬ
ポリオキシエチレン・ポリオキシプロピレン縮合物    ０．２５ｇ／Ｌ
【００４２】
試薬Ｅ
グッド緩衝液（ｐＨ７．０）                        １００ｍｍｏｌ／Ｌ
アジ化ナトリウム                                  ０．１％
４−アミノアンチピリン                            ４．０ｍｍｏｌ／Ｌ
ペルオキシダーゼ                                  ３．５Ｕ／ｍＬ
ポリオキシエチレントリベンジルフェニルエーテル    １４ｇ／Ｌ
【００４３】
試薬Ｆ
グッド緩衝液（ｐＨ７．０）                        １００ｍｍｏｌ／Ｌ
４−アミノアンチピリン                            ４．０ｍｍｏｌ／Ｌ
ポリオキシエチレントリベンジルフェニルエーテル    １４ｇ／Ｌ
【００４４】
試料２μＬに第一試薬１５０μＬを加え、３７℃で５分間反応させた後に、第二試薬５０μＬを加え５分間反応させ、主波長６００ｎｍ、副波長７００ｎｍの吸光度を測定し、予め作成した検量線に基づき、試料中のＨＤＬコレステロール濃度を測定した。
【００４５】
試料としては、ＨＤＬ高濃度検体の原液（希釈倍率１倍）、ＨＤＬ高濃度検体を生理食塩水で２倍、１０倍、２０倍、４０倍希釈したものの５種類の試料を調製した。各試料中のＨＤＬコレステロール濃度を測定し、得られた測定値（mg/dL）に希釈倍率を乗じた原液換算値（mg/dL）を求めた。原液の測定値を理論値としたときの、各希釈倍率の原液換算値の対理論値％を表１〜４に示す。
【００４６】
第一工程でカタラーゼ、第二工程でペルオキシダーゼを使用した試薬Ａと試薬Ｅの組合せ（表１：比較例１）と比較して、第一工程でペルオキシダーゼを使用した試薬Ｂと試薬Ｆ（表２：実施例１）、試薬Ｃと試薬Ｆ（表３：実施例２）、試薬Ｄと試薬Ｆ（表４：実施例３）の組合せでは希釈の影響による測定値の低下が改善されており、検体希釈時の測定値の正確性が向上したことが確認された。
【００４７】
【表１】
2020024175.tif 000003
【００４８】
【表２】
2020024175.tif 000004
【００４９】
【表３】
2020024175.tif 000005
【００５０】
【表４】
2020024175.tif 000006
【００５１】
実施例４〜６、比較例２
第一工程に用いる試薬組成物を第一試薬、第二工程に用いる試薬組成物を第二試薬とし、第一試薬として試薬Ｇ〜Ｊを、第二試薬をＫ〜Ｌを以下の組成になるように調製した。
【００５２】
試薬Ｇ
グッド緩衝液（ｐＨ７．０）                          １００ｍｍｏｌ／Ｌ
ＴＯＯＳ                                            ２．０ｍｍｏｌ／Ｌ
カタラーゼ                                          １２００Ｕ／ｍＬ
コレステロールエステラーゼ                          ０．６Ｕ／ｍＬ
コレステロールオキシダーゼ                          ０．５Ｕ／ｍＬ
ポリオキシエチレントリベンジルフェニルエーテル      ２．７ｇ／Ｌ
ポリオキシエチレンジスチレン化フェニルエーテル      ０．３ｇ／Ｌ
【００５３】
試薬Ｈ
グッド緩衝液（ｐＨ７．０）                          １００ｍｍｏｌ／Ｌ
ＴＯＯＳ                                            ２．０ｍｍｏｌ／Ｌ
ペルオキシダーゼ                                    ０．５Ｕ／ｍＬ
コレステロールエステラーゼ                          ０．６Ｕ／ｍＬ
コレステロールオキシダーゼ                          ０．５Ｕ／ｍＬ
ポリオキシエチレントリベンジルフェニルエーテル      ２．７ｇ／Ｌ
ポリオキシエチレンジスチレン化フェニルエーテル      ０．３ｇ／Ｌ
【００５４】
試薬Ｉ
グッド緩衝液（ｐＨ７．０）                          １００ｍｍｏｌ／Ｌ
ＴＯＯＳ                                            ２．０ｍｍｏｌ／Ｌ
ペルオキシダーゼ                                    １．７Ｕ／ｍＬ
コレステロールエステラーゼ                          ０．６Ｕ／ｍＬ
コレステロールオキシダーゼ                          ０．５Ｕ／ｍＬ
ポリオキシエチレントリベンジルフェニルエーテル      ２．７ｇ／Ｌ
ポリオキシエチレンジスチレン化フェニルエーテル      ０．３ｇ／Ｌ
【００５５】
試薬Ｊ
グッド緩衝液（ｐＨ７．０）                          １００ｍｍｏｌ／Ｌ
ＴＯＯＳ                                            ２．０ｍｍｏｌ／Ｌ
ペルオキシダーゼ                                    ３．５Ｕ／ｍＬ
コレステロールエステラーゼ                          ０．６Ｕ／ｍＬ
コレステロールオキシダーゼ                          ０．５Ｕ／ｍＬ
ポリオキシエチレントリベンジルフェニルエーテル      ２．７ｇ／Ｌ
ポリオキシエチレンジスチレン化フェニルエーテル      ０．３ｇ／Ｌ
【００５６】
試薬Ｋ
グッド緩衝液（ｐＨ７．０）                          １００ｍｍｏｌ／Ｌ
アジ化ナトリウム                                    ０．１％
４−アミノアンチピリン                              ４．０ｍｍｏｌ／Ｌ
ペルオキシダーゼ                                    ５．０Ｕ／ｍＬ
ポリオキシエチレンアルキルエーテル                  ６ｇ／Ｌ
【００５７】
試薬Ｌ
グッド緩衝液（ｐＨ７．０）                          １００ｍｍｏｌ／Ｌ
４−アミノアンチピリン                              ４．０ｍｍｏｌ／Ｌ
ポリオキシエチレンアルキルエーテル                  ６ｇ／Ｌ
【００５８】
試料２μＬに第一試薬１５０μＬを加え、３７℃で５分間反応させた後に、第二試薬５０μＬを加え５分間反応させ、主波長６００ｎｍ、副波長７００ｎｍの吸光度を測定し、予め作成した検量線に基づき、試料中のＬＤＬコレステロール濃度を測定した。
試料としては、ＬＤＬ高濃度検体の原液（希釈倍率１倍）、及びＬＤＬ高濃度検体を生理食塩水で２倍、１０倍、２０倍、４０倍希釈したものの５種類の試料を調製した。各試料中のＬＤＬコレステロール濃度を測定し、得られた測定値（mg/dL）に希釈倍率を乗じた原液換算値（mg/dL）を求めた。原液の測定値を理論値としたときの、各希釈倍率の原液換算値の対理論値％を表５〜８に示す。
【００５９】
第一工程でカタラーゼ、第二工程でペルオキシダーゼを使用した試薬Ｇと試薬Ｋの組合せ（表５：比較例２）と比較して、第一工程でペルオキシダーゼを使用した試薬Ｈと試薬Ｌ（表６：実施例４）、試薬Ｉと試薬Ｌ（表７：実施例５）、試薬Ｊと試薬Ｌ（表８：実施例６）の組合せでは希釈の影響による測定値の低下が改善されており、検体希釈時の測定値の正確性が向上したことが確認された。
【００６０】
【表５】
2020024175.tif 000007
【００６１】
【表６】
2020024175.tif 000008
【００６２】
【表７】
2020024175.tif 000009
【００６３】
【表８】
2020024175.tif 000010
【００６４】
実施例７〜９、比較例３
第一工程に用いる試薬組成物を第一試薬、第二工程に用いる試薬組成物を第二試薬とし、第一試薬として試薬Ｍ〜Ｐを、第二試薬をＱ〜Ｒを以下の組成になるように調製した。
【００６５】
試薬Ｍ
グッド緩衝液（ｐＨ７．０）                          １００ｍｍｏｌ／Ｌ
ＴＯＯＳ                                            ２．０ｍｍｏｌ／Ｌ
カタラーゼ                                          １２００Ｕ／ｍＬ
コレステロールエステラーゼ                          １．６Ｕ／ｍＬ
コレステロールオキシダーゼ                          ０．６Ｕ／ｍＬ
スフィンゴミエリナーゼ                              ２．７０Ｕ／ｍＬ
ポリオキシエチレントリベンジルフェニルエーテル      ０．６８ｇ／Ｌ
ポリオキシエチレンジスチレン化フェニルエーテル      １．２０ｇ／Ｌ
【００６６】
試薬Ｎ
グッド緩衝液（ｐＨ７．０）                          １００ｍｍｏｌ／Ｌ
ＴＯＯＳ                                            ２．０ｍｍｏｌ／Ｌ
ペルオキシダーゼ                                    ０．５Ｕ／ｍＬ
コレステロールエステラーゼ                          １．６Ｕ／ｍＬ
コレステロールオキシダーゼ                          ０．６Ｕ／ｍＬ
スフィンゴミエリナーゼ                              ２．７０Ｕ／ｍＬ
ポリオキシエチレントリベンジルフェニルエーテル      ０．６８ｇ／Ｌ
ポリオキシエチレンジスチレン化フェニルエーテル      １．２０ｇ／Ｌ
【００６７】
試薬Ｏ
グッド緩衝液（ｐＨ７．０）                          １００ｍｍｏｌ／Ｌ
ＴＯＯＳ                                            ２．０ｍｍｏｌ／Ｌ
ペルオキシダーゼ                                    １．７Ｕ／ｍＬ
コレステロールエステラーゼ                          １．６Ｕ／ｍＬ
コレステロールオキシダーゼ                          ０．６Ｕ／ｍＬ
スフィンゴミエリナーゼ                              ２．７０Ｕ／ｍＬ
ポリオキシエチレントリベンジルフェニルエーテル      ０．６８ｇ／Ｌ
ポリオキシエチレンジスチレン化フェニルエーテル      １．２０ｇ／Ｌ
【００６８】
試薬Ｐ
グッド緩衝液（ｐＨ７．０）                          １００ｍｍｏｌ／Ｌ
ＴＯＯＳ                                            ２．０ｍｍｏｌ／Ｌ
ペルオキシダーゼ                                    ３．５Ｕ／ｍＬ
コレステロールエステラーゼ                          １．６Ｕ／ｍＬ
コレステロールオキシダーゼ                          ０．６Ｕ／ｍＬ
スフィンゴミエリナーゼ                              ２．７０Ｕ／ｍＬ
ポリオキシエチレントリベンジルフェニルエーテル      ０．６８ｇ／Ｌ
ポリオキシエチレンジスチレン化フェニルエーテル      １．２０ｇ／Ｌ
【００６９】
試薬Ｑ
グッド緩衝液（ｐＨ７．０）                          １００ｍｍｏｌ／Ｌ
アジ化ナトリウム                                    ０．１％
４−アミノアンチピリン                              ４．０ｍｍｏｌ／Ｌ
ペルオキシダーゼ                                    ５．０Ｕ／ｍＬ
ポリオキシエチレンアルキルエーテル                  ６ｇ／Ｌ
【００７０】
試薬Ｒ
グッド緩衝液（ｐＨ７．０）                          １００ｍｍｏｌ／Ｌ
４−アミノアンチピリン                              ４．０ｍｍｏｌ／Ｌ
ポリオキシエチレンアルキルエーテル                  ６ｇ／Ｌ
【００７１】
試料２μＬに第一試薬１５０μＬを加え、３７℃で５分間反応させた後に、第二試薬５０μＬを加え５分間反応させ、主波長６００ｎｍ、副波長７００ｎｍの吸光度を測定し、予め作成した検量線に基づき、試料中のｓｄＬＤＬコレステロール濃度を測定した。
試料としては、ｓｄＬＤＬ高濃度検体の原液（希釈倍率１倍）、及びｓｄＬＤＬ高濃度検体を生理食塩水で２倍、１０倍、２０倍、４０倍希釈したものの５種類の試料を調製した。各試料中のｓｄＬＤＬコレステロール濃度を測定し、得られた測定値（mg/dL）に希釈倍率を乗じた原液換算値（mg/dL）を求めた。原液の測定値を理論値としたときの、各希釈倍率の原液換算値の対理論値％を表９〜１２に示す。
【００７２】
第一工程でカタラーゼ、第二工程でペルオキシダーゼを使用した試薬Ｍと試薬Ｑの組合せ（表９：比較例３）と比較して、第一工程でペルオキシダーゼを使用した試薬Ｎと試薬Ｒ（表１０：実施例７）、試薬Ｏと試薬Ｒ（表１１：実施例８）、試薬Ｐと試薬Ｒ（表１２：実施例９）の組合せでは希釈の影響による測定値の低下が改善されており、検体希釈時の測定値の正確性が向上したことが確認された。
【００７３】
【表９】
2020024175.tif 000011
【００７４】
【表１０】
2020024175.tif 000012
【００７５】
【表１１】
2020024175.tif 000013
【００７６】
【表１２】
2020024175.tif 000014
【００７７】
実施例１０〜１２、比較例４
第一工程に用いる試薬組成物を第一試薬、第二工程に用いる試薬組成物を第二試薬とし、第一試薬として上記試薬Ａ〜Ｄを、第二試薬を上記Ｅ〜Ｆを用いて、直線性の評価を行った。
【００７８】
試料２μＬに第一試薬１５０μＬを加え、３７℃で５分間反応させた後に、第二試薬５０μＬを加え５分間反応させ、主波長６００ｎｍ、副波長７００ｎｍの吸光度を測定し、予め作成した検量線に基づき、試料中のＨＤＬコレステロール濃度を測定した。
ＨＤＬ高濃度検体を生理食塩水に対する検体の比が0.0、0.1、0.2、0.3、0.4、0.5、0.6、0.7、0.8、0.9、1.0となるように１０段階希釈した試料を測定し、得られた測定値をＣＬＳＩガイドラインＥＰ−０６Ａに則り、直線性の評価を行った。試薬Ａと試薬Ｅの組合せ（比較例４）、試薬Ｂと試薬Ｆの組合せ（実施例１０）、試薬Ｃと試薬Ｆの組合せ（実施例１１）、試薬Ｄと試薬Ｆの組合せ（実施例１２）の結果をぞれぞれ図１、２、３及び４に示す。
【００７９】
ＣＬＳＩガイドラインＥＰ−０６Ａでは希釈レベルと測定値で多項式回帰解析を行い、希釈レベルと測定値の関係に最も適した多項式回帰のあてはめが統計的に選択され、直線性の評価に用いられる。多項式回帰の選択では、一次回帰のあてはめと、多項式回帰の二次回帰または三次回帰のあてはめの間で有意差検定が行われ、一次回帰と二次回帰および三次回帰の両方のあてはめに有意差が無い場合は一次回帰が選択される。一次回帰と、二次回帰または三次回帰のいずれかのあてはめに有意差がある場合は有意差のある多項式回帰が選択され、一次回帰と、二次回帰および三次回帰の両方のあてはめに有意差がある場合は、標準誤差の小さい多項式回帰のあてはめが選択される。図中、Linear fitは一次回帰のあてはめであり、Nonlinear fitは選択された二次または三次回帰のあてはめであり、Difference plot of nonlinearityは一次回帰のあてはめと選択された多項式回帰のあてはめの差である。希釈レベルと測定値の回帰解析で一次回帰が選択された場合は、その時点で希釈レベルと測定値の関係は直線的であると判断される。多項式回帰が選択された場合はDifference plot of nonlinearityを用いて直線性の評価が行われ、Difference plot of nonlinearityの値が全希釈レベルでゼロに近いほど希釈レベルと測定値の関係は直線的であると見なされる。
【００８０】
図１（比較例４）では、Difference plot of nonlinearityの値がゼロから上下に離れており、直線にゆがみがあることが示されている。一方、図２（実施例１０）、図３（実施例１１）では一次回帰が選択され、希釈レベルと測定値の関係が直線であると判断されている。図４（実施例１２）では多項式回帰が選択されているが、図１に比べるとDifference plot of nonlinearityの値がゼロに収束しており、特に希釈レベル１〜５の、低値域の直線の歪みが改善されていることが分かる。
【００８１】
したがって、第一工程でカタラーゼ、第二工程でペルオキシダーゼを使用した試薬Ａと試薬Ｅの組合せ（図１：比較例４）と比較して、第一工程でペルオキシダーゼを使用した試薬Ｂと試薬Ｆ（図２：実施例１０）、試薬Ｃと試薬Ｆ（図３：実施例１１）、試薬Ｄと試薬Ｆ（図４：実施例１２）の組合せでは直線性が改善したことが確認された。
【００８２】
実施例１３〜１５、比較例５
第一工程に用いる試薬組成物を第一試薬、第二工程に用いる試薬組成物を第二試薬とし、第一試薬として上記試薬Ｇ〜Ｊを、第二試薬を上記Ｋ〜Ｌを用いて、直線性の評価を行った。
【００８３】
試料２μＬに第一試薬１５０μＬを加え、３７℃で５分間反応させた後に、第二試薬５０μＬを加え５分間反応させ、主波長６００ｎｍ、副波長７００ｎｍの吸光度を測定し、予め作成した検量線に基づき、試料中のＬＤＬコレステロール濃度を測定した。
ＬＤＬ高濃度検体を生理食塩水に対する検体の比が0.0、0.1、0.2、0.3、0.4、0.5、0.6、0.7、0.8、0.9、1.0となるように１０段階希釈した試料を測定し、得られた測定値をＣＬＳＩガイドラインＥＰ−０６Ａに則り、実施例１０〜１２、比較例４と同様に直線性の評価を行った。試薬Ｇと試薬Ｋの組合せ（比較例５）、試薬Ｈと試薬Ｌの組合せ（実施例１３）、試薬Ｉと試薬Ｌの組合せ（実施例１４）、試薬Ｊと試薬Ｌの組合せ（実施例１５）の結果をぞれぞれ図５、６、７及び８に示す。図５（比較例５）では各希釈レベルのDifference plot of nonlinearityの値がゼロから上下に大きく離れており、直線が大きく歪んでいることが示されている。一方、図６（実施例１３）〜図８（実施例１５）においてはDifference plot of nonlinearityの値が一次回帰が選択され、希釈レベルと測定値の関係が直線であると判断されている。
【００８４】
したがって、第一工程でカタラーゼ、第二工程でペルオキシダーゼを使用した試薬Ｇと試薬Ｋの組合せ（図５：比較例５）と比較して、第一工程でペルオキシダーゼを使用した試薬Ｈと試薬Ｌ（図６：実施例１３）、試薬Ｉと試薬Ｌ（図７：実施例１４）、試薬Ｊと試薬Ｌ（図８：実施例１５）の組合せでは直線性が改善したことが確認された。
【００８５】
実施例１６〜１８、比較例６
第一工程に用いる試薬組成物を第一試薬、第二工程に用いる試薬組成物を第二試薬とし、第一試薬として上記試薬Ｍ〜Ｐを、第二試薬を上記Ｑ〜Ｒを用いて、直線性の評価を行った。
【００８６】
試料２μＬに第一試薬１５０μＬを加え、３７℃で５分間反応させた後に、第二試薬５０μＬを加え５分間反応させ、主波長６００ｎｍ、副波長７００ｎｍの吸光度を測定し、予め作成した検量線に基づき、試料中のｓｄＬＤＬコレステロール濃度を測定した。
ｓｄＬＤＬ高濃度検体を生理食塩水に対する検体の比が0.0、0.1、0.2、0.3、0.4、0.5、0.6、0.7、0.8、0.9、1.0となるように１０段階希釈した試料を測定し、得られた測定値をＣＬＳＩガイドラインＥＰ−０６Ａに則り、実施例１０〜１２、比較例４と同様に直線性の評価を行った。試薬Ｍと試薬Ｑの組合せ（比較例６）、試薬試薬Ｎと試薬Ｒの組合せ（実施例１６）、試薬Ｏと試薬Ｒの組合せ（実施例１７）、試薬Ｐと試薬Ｒの組合せ（実施例１８）の結果をぞれぞれ図９、１０、１１及び１２に示す。図９（比較例６）では各希釈レベルのDifference plot of nonlinearityの値がゼロから上下に大きく離れており、直線が大きく歪んでいることが示されている。一方、図１０（実施例１６）〜図１２（実施例１８）においてはDifference plot of nonlinearityの値が一次回帰が選択され、希釈レベルと測定値の関係が直線であると判断されている。
【００８７】
したがって、第一工程でカタラーゼ、第二工程でペルオキシダーゼを使用した試薬Ｍと試薬Ｑの組合せ（図９：比較例６）と比較して、第一工程でペルオキシダーゼを使用した試薬Ｎと試薬Ｒ（図１０：実施例１６）、試薬Ｏと試薬Ｒ（図１１：実施例１７）、試薬Ｐと試薬Ｒ（図１２：実施例１８）の組合せでは直線性が改善したことが確認された。
【図１】
2020024175.tif 000015
【図２】
2020024175.tif 000016
【図３】
2020024175.tif 000017
【図４】
2020024175.tif 000018
【図５】
2020024175.tif 000019
【図６】
2020024175.tif 000020
【図７】
2020024175.tif 000021
【図８】
2020024175.tif 000022
【図９】
2020024175.tif 000023
【図１０】
2020024175.tif 000024
【図１１】
2020024175.tif 000025
【図１２】
2020024175.tif 000026